(57)【要約】【課題】実際のスキャンをせずに読取ガラスに付着した汚れの位置を認識させることができる画像読取装置を提供する。【解決手段】制御部２００は、原稿移動方式を用いたスキャンの実行を指示する操作を受け付けると（Ｓ１１：ＹＥＳ）、白基準板４１に光源１１から光を照射して画像を走査して白基準画像データを生成させ（Ｓ１３）、プラテンガラス２８を通して光源１１から対向白板４２に光を照射して画像を走査して補正データを生成させる（Ｓ１５）。制御部２００は、白基準画像データと補正データとを比較し、各走査位置における諧調差が基準値以上になると（Ｓ１６：ＹＥＳ）、プラテンガラス２８に汚れが付着していると判断する。制御部２００は、判断結果に基づいてサンプル画像データに汚れ画像データを付加してプレビュー画像データを生成し（Ｓ２２）、図５（Ｂ）に示すプレビュー画像データに基づく画像を表示する（Ｓ２３）。【選択図】  図５
2012044565.tif 000002
【特許請求の範囲】
【請求項１】
サンプル画像データを記憶する記憶手段と、
原稿が搬送される原稿搬送路を挟んで互いに対向配置された第１ガイド部材及び第２ガイド部材であって、透明部材で構成された第１ガイド部材及び白補正処理用の対向白板を含む第２ガイド部材と、
前記第１ガイド部材を通して前記原稿搬送路上の前記原稿へ光を照射し、前記原稿からの反射光に基づいて画像データを生成する画像読取手段と、
前記原稿が前記原稿搬送路上に存在しない時に、前記対向白板への光の照射、及び前記対向白板からの反射光に基づく補正データの生成を前記画像読取手段に指示し、前記対向白板からの反射光に基づいて前記第１ガイド部材の汚れを判断し、判断結果に基づいて汚れに対応する画像データを前記サンプル画像データに付加してプレビュー画像データを生成する画像生成手段と、
前記画像生成手段が生成したプレビュー画像データに基づく画像を表示する表示手段と、を備えた画像読取装置。
【請求項２】
前記画像生成手段は、前記対向白板からの反射光の光量値が所定値以下の場合に、前記プレビュー画像データを生成する請求項１に記載の画像読取装置。
【請求項３】
前記原稿の搬送方向における前記第１ガイド部材の上流側又は下流側で、且つ前記第１ガイド部材の近傍に白基準部材を更に備え、
前記画像生成手段は、前記白基準部材への光の照射、及び前記白基準部材からの反射光に基づく白基準画像データの生成を前記画像読取手段に指示し、前記白基準部材からの反射光の光量値に基づいて前記所定値を定める請求項２に記載の画像読取装置。
【請求項４】
前記記憶手段は、複数のサンプル画像データを記憶し、
前記複数のサンプル画像データの中から１つのサンプル画像データの選択を受け付ける選択受付手段を更に備え、
前記画像生成手段は、前記選択受付手段が選択を受け付けたサンプル画像データに汚れに対応する画像データを付加してプレビュー画像データを生成する請求項１〜３の何れかに記載の画像読取装置。
【請求項５】
前記サンプル画像データの追加を受け付ける追加受付手段を更に備え、
前記記憶手段は、前記追加受付手段が受け付けたサンプル画像データを記憶する請求項４に記載の画像読取装置。
【請求項６】
前記表示手段に表示されたプレビュー画像データに基づく画像の一部の拡大表示を受け付ける拡大表示受付手段を更に備え、
前記画像生成手段は、前記拡大表示受付手段が受け付けたプレビュー画像データに基づく画像の一部を拡大した画像データをプレビュー画像データとして再生成する請求項１〜５の何れかに記載の画像読取装置。
【請求項７】
前記表示手段は、前記サンプル画像データに基づく画像及び前記プレビュー画像データに基づく画像を並べて表示する請求項１〜６の何れかに記載の画像読取装置。
【請求項８】
前記画像生成手段は、前記サンプル画像データの解像度又は階調数の少なくとも一方を変換する変換手段を備える請求項１〜７の何れかに記載の画像読取装置。
【請求項９】
前記サンプル画像データは、自装置の最大読取解像度で且つフルカラーのデータである請求項８に記載の画像読取装置。
【請求項１０】
前記画像生成手段は、前記白基準画像データを用いて前記補正データの白補正を行う請求項３に記載の画像読取装置。
【発明の詳細な説明】
【技術分野】
【０００１】
画像読取ガラスの汚れを警告する画像読取装置に関する。
【背景技術】
【０００２】
画像読取装置は、原稿搬送装置から搬送された原稿が読取ガラス上を通過する時に、原稿の画像を読み取る。この時、原稿の印刷面が読取ガラス上を通過するため、原稿に印刷されたトナーが汚れとして読取ガラスに付着することがある。読取ガラスに汚れが付着している状態で、画像読取装置は、原稿の画像を読み取ると、汚れも画像として読み取る。
【０００３】
従来の画像読取装置として、画像の読み取り前に、読取ガラス上の汚れを検知し、読取ガラスに汚れが付着していることを警告するものがある（例えば、特許文献１参照。）。
【０００４】
特許文献１に記載の画像読取装置では、原稿の画像を実際に読み取る前に、対向白板に光を照射して、対向白板からの反射光に基づく画像データを読み取る。この時、画像読取装置は、対向白板の反射濃度が所定値より小さい時に、読取ガラスに汚れが付着していると判断して、読取ガラスに汚れが付着していることを示す警告画面を表示する。
【先行技術文献】
【特許文献】
【０００５】
【特許文献１】特開平４−５６４７６号公報
【発明の概要】
【発明が解決しようとする課題】
【０００６】
しかし、特許文献１に記載の画像読取装置では、読取ガラスのどの個所に汚れが付着しているか分からないため、実際に原稿のスキャンを行い、汚れが付着している箇所を確認しなければならなかった。
【０００７】
そこで、この発明では、実際に原稿のスキャンを行わずに、汚れが付着している箇所を特定することができる画像読取装置を提供することを目的とする。
【課題を解決するための手段】
【０００８】
画像読取装置は、記憶手段と、第１ガイド部材及び第２ガイド部材と、画像読取手段と、画像生成手段と、表示手段と、を備える。記憶手段は、サンプル画像データを記憶する。第１ガイド部材及び第２ガイド部材は、原稿が搬送される原稿搬送路を挟んで互いに対向配置されている。第１ガイド部材は、透明部材で構成される。第２ガイド部材は、白補正処理用の対向白板を含む。画像読取手段は、第１ガイド部材を通して原稿搬送路上の原稿へ光を照射し、原稿からの反射光に基づいて画像データを生成する。画像生成手段は、原稿が原稿搬送路上に存在しない時に、対向白板への光の照射、及び対向白板からの反射光に基づく補正データの生成を画像読取手段に指示し、対向白板からの反射光に基づいて第１ガイド部材の汚れを判断し、判断結果に基づいて汚れに対応する画像データをサンプル画像データに付加してプレビュー画像データを生成する。表示手段は、画像生成手段が生成したプレビュー画像データに基づく画像を表示する。
【０００９】
この構成では、画像生成手段は、原稿搬送路上に原稿が搬送されていない時に、画像読取手段に対向白板の画像を読み取らせる。画像読取手段は、対向白板に光を照射して、対向白板から受光した反射光に基づく補正データを生成する。この時、第１ガイド部材に汚れが付着していると、照射した光が対向白板へ届かず、第１ガイド部材の汚れが付着している箇所で反射され、反射光の光量に変化が生じる。画像生成手段は、対向白板からの反射光に基づいて第１ガイド部材の汚れの有無を判断する。画像生成手段は、判断結果に基づいて汚れに対応する画像データをサンプル画像データに付加してプレビュー画像データを生成する。表示手段は、プレビュー画像データに基づく画像を表示する。
【００１０】
画像生成手段は、対向白板からの反射光の光量値が所定値以下の場合に、プレビュー画像データを生成する構成であることが好ましい。
【００１１】
この構成では、画像生成手段は、対向白板からの反射光の光量値が所定値以下の場合に、汚れに対応する画像データをサンプル画像データに付加してプレビュー画像データを生成する。第１ガイド部材の汚れが付着している箇所は、汚れが付着していない箇所より、反射光の光量値が小さくなるからである。これにより、画像読取装置は、実際のスキャンを行う前に実行する対向白板のスキャンを行うだけで、第１ガイド部材の汚れの位置を認識させることができる。
【００１２】
原稿の搬送方向における第１ガイド部材の上流側又は下流側で、且つ第１ガイド部材の近傍に白基準部材を更に備える構成であることが好ましい。この場合、画像生成手段は、白基準部材への光の照射、及び白基準部材からの反射光に基づく白基準画像データの生成を画像読取手段に指示し、白基準部材からの反射光の光量値に基づいて所定値を定める。
【００１３】
この構成では、画像読取手段は、白基準部材の画像を原稿が搬送されない側、すなわち原稿による汚れが付着しない側から読み取る。画像生成手段は、対向白板の反射光の光量値と白基準部材の反射光の光量値とを比較することで、読取ガラスの汚れの有無を判断する。これにより、画像読取装置は、画像読取手段の経年劣化に伴い、照射する光の光量が変化しても、対向白板の反射光の光量値と白基準部材の反射光の光量値とが共に変化するため、第１ガイド部材の汚れの有無を正確に判断することができる。
【００１４】
記憶手段は、複数のサンプル画像データを記憶し、複数のサンプル画像データの中から１つのサンプル画像データの選択を受け付ける選択受付手段を更に備える構成であることが好ましい。この場合、画像生成手段は、選択受付手段が選択を受け付けたサンプル画像データに汚れに対応する画像データを付加してプレビュー画像データを生成する。
【００１５】
この構成では、記憶手段は、例えば、写真データ、文字データ、文字及び写真からなる混合データ、ハーフトーンのデータ等をサンプル画像データとして記憶している。選択受付手段は、複数のサンプル画像データの中から実際にスキャンする原稿に似たサンプル画像データの選択を受け付ける。画像生成手段は、選択受付手段が選択を受け付けたサンプル画像データに汚れに対応する画像データを付加してプレビュー画像データを生成する。これにより、画像読取装置は、汚れの影響範囲を実際のスキャンに似せることができる。
【００１６】
サンプル画像データの追加を受け付ける追加受付手段を更に備える構成であることが好ましい。この場合、記憶手段は、追加受付手段が受け付けたサンプル画像データを記憶する。
【００１７】
この構成では、外部装置から入力された画像データや原稿固定方式により読み取った画像データをサンプル画像データとして用いる。これにより、画像読取装置は、実際にスキャンする原稿の画像データを用いて、読取ガラスの汚れの有無を判断することができる。
【００１８】
表示手段に表示されたプレビュー画像データに基づく画像の一部の拡大表示を受け付ける拡大表示受付手段を更に備える構成であることが好ましい。この場合、画像生成手段は、拡大表示受付手段が受け付けたプレビュー画像データに基づく画像の一部を拡大した画像データをプレビュー画像データとして再生成する。
【００１９】
この構成では、拡大表示受付手段は、プレビュー画像データに基づく画像の一部の拡大表示を受け付ける。画像生成手段は、拡大表示受付手段が受け付けた画像の一部を拡大表示した画像データを生成し、表示手段に表示させる。これにより、画像読取装置は、汚れが付着している箇所を拡大表示することができ、汚れの影響範囲を認識させやすい。
【００２０】
表示手段は、サンプル画像データに基づく画像及び前記プレビュー画像データに基づく画像を並べて表示する構成であることが好ましい。
【００２１】
この構成では、表示手段は、汚れのないサンプル画像データに基づく画像と、汚れのあるプレビュー画像データに基づく画像と、を並べて表示する。これにより、画像読取装置は、汚れの有無を比較して表示することで、汚れが付着している箇所を認識させやすい。
【００２２】
画像生成手段は、サンプル画像データの解像度又は階調数の少なくとも一方を変換する変換手段を備える構成であることが好ましい。
【００２３】
この構成では、画像生成手段は、サンプル画像データの解像度又は階調数の少なくとも一方を変換したのちに、汚れに対応する画像データを付加する。原稿から画像を読み取る際に、スキャン時の各種設定（解像度やカラー、モノクロ設定）に応じて読み取った画像データの解像度や階調数が異なるためである。これにより、画像読取装置は、スキャン時の各種設定に応じてサンプル画像データを加工することができ、プレビュー画像データを生成することができる。
【００２４】
サンプル画像データは、自装置の最大読取解像度で且つフルカラーのデータである構成であることが好ましい。
【００２５】
この構成では、画像生成手段は、自装置の最大読取解像度で且つフルカラーのデータを加工してプレビュー画像データを生成する。これにより、画像読取装置は、データを間引いても、データを補完する必要がないため、スキャン時の設定に応じたプレビュー画像データを正確に生成することができる。
【００２６】
画像生成手段は、白基準画像データを用いて補正データの白補正を行う構成であることが好ましい。
【００２７】
この構成では、画像生成手段は、白基準部材の原稿が搬送されない側、すなわち原稿による汚れが付着しない側を読み取って生成した白基準画像データを用いて補正データの白補正を行う。これにより、補正データに含まれる汚れが強調されるため、画像読取装置は、汚れをより目立たせることができる。
【発明の効果】
【００２８】
この発明の画像読取装置は、実際のスキャンを行う前に読取ガラスの汚れを加工したプレビュー画像データに基づく画像をプレビューすることができ、実際のスキャンをせずに読取ガラスに付着した汚れの位置を認識させることができる。
【図面の簡単な説明】
【００２９】
【図１】画像読取装置の正面断面図の概略図である。
【図２】原稿移動方式による制御部の処理の流れを示すフローチャートである。
【図３】原稿移動方式による制御部の処理の流れを示すフローチャートである。
【図４】第１画像読取ユニットが読み取った画像の出力値を示す図である。
【図５】操作画面、及びプレビュー画面の一例を示す図である。
【図６】異なるサンプル画像データを用いたプレビュー画面の一例を示す図である。
【図７】並列表示したプレビュー画面の一例を示す図である。
【図８】一部拡大表示したプレビュー画面の一例を示す図である。
【図９】サンプル画像データの追加時における制御部の処理の流れを示すフローチャートである。
【発明を実施するための形態】
【００３０】
図１に示すように、この発明の実施形態に係る画像読取装置１００は、例えば複写機等の画像形成装置の上部に配置される。画像読取装置１００は、制御部２００、記憶部２０１、自動原稿送り装置（以下、ＡＤＦと称する。）１、第１画像読取ユニット１０、及び第２画像読取ユニット２０を備えている。
【００３１】
ＡＤＦ１は、原稿を原稿搬送路Ｆに沿って自動的に搬送する。ＡＤＦ１は、原稿トレイ５から排紙トレイ３０に至る原稿搬送路Ｆ内に、ピックアップローラ６、複数の搬送ローラ対７Ａ〜７Ｅ、レジストローラ対８、排紙ローラ対９を配置している。ピックアップローラ６は、原稿トレイ５に載置された原稿を１枚ずつ繰り出す。搬送ローラ対７Ａ〜７Ｅは、原稿を原稿搬送路Ｆに沿って搬送する。レジストローラ対８は、原稿の搬送タイミングを調節する。排紙ローラ対９は、画像読み取りを終えた原稿を排紙トレイ３０へ排出する。原稿搬送路Ｆは、第２画像読取ユニット２０の周囲に略Ｕ字状に形成されている。
【００３２】
ＡＤＦ１と第１画像読取ユニット１０はヒンジ（図示せず）によって連結され、ＡＤＦ１はヒンジの回動によって第１画像読取ユニット１０の上面を開閉自在にされている。また、ＡＤＦ１は、プラテンガラス２８から排紙ローラ対９までの間の原稿搬送路Ｆの位置で上下に分割可能にされている。ＡＤＦ１を上下に分割すると、原稿搬送路Ｆのプラテンガラス２８から排紙ローラ対９までの間が外部に開放する。
【００３３】
第１画像読取ユニット１０は、上面に透明なガラス板からなる原稿台４を備えており、内部に光源ユニット１５、ミラーユニット１６、レンズ１３及びＣＣＤ（イメージセンサ）１４を備える。第１画像読取ユニット１０は、光源ユニット１５及びミラーユニット１６を水平方向に往復移動させて、原稿の表面側の画像を読み取る。光源ユニット１５は、光源１１及び第１ミラー１２Ａを保持する。ミラーユニット１６は、第２ミラー１２Ｂ及び第３ミラー１２Ｃを保持する。
【００３４】
第１画像読取ユニット１０は、ユーザが原稿台４上に載置した原稿の画像の読み取る原稿固定方式による画像読取と、ＡＤＦ１が搬送する原稿の画像を読み取る原稿移動方式の両方式に対応している。
【００３５】
原稿固定方式によって原稿画像を読み取る場合、光源ユニット１５とミラーユニット１６は、原稿固定方式に対応したホームポジションにそれぞれ移動する。その後、光源ユニット１５は原稿に対して光を照射しながら一定の速度で副走査方向（紙面に対して左右方向）に移動して原稿の画像を走査し、同時にミラーユニット１６は光源ユニット１５の移動速度の１／２の移動速度で同じく副走査方向に移動する。光源ユニット１５から照射され原稿から反射した光は、第１ミラー１２Ａで反射した後、第２及び第３ミラー１２Ｂ，１２Ｃによって光路変換され、第３ミラー１２Ｃから反射された光はレンズ１３を介してＣＣＤ１４に結像し、電気的な画像データに変換される。
【００３６】
一方、原稿移動方式によって原稿の画像を読み取る場合、光源ユニット１５及びミラーユニット１６は、図１に示されるホームポジションに静止したまま、ＡＤＦ１によってプラテンガラス２８上を搬送される原稿の表面に光源１１から光を照射して画像を走査する。原稿の表面で反射された光は、プラテンガラス２８を通過して第１ミラー１２Ａによって反射された後、第２及び第３ミラー１２Ｂ，１２Ｃによって光路変換され、レンズ１３を介してＣＣＤ１４に結像し、電気的な画像データに変換される。
【００３７】
プラテンガラス２８は、透明部材で形成され、原稿搬送路Ｆの下面ガイドの一部を構成している。プラテンガラス２８の下流側端部には、白基準板４１が配置されている。原稿搬送路Ｆを挟んでプラテンガラス２８と対向する位置には、対向白板４２が配置されている。対向白板４２は、白補正に用いられ、原稿搬送路Ｆの上面ガイドの一部を構成している。対向白板４２は、原稿搬送路Ｆ側に透明板材を備えたものであってもよい。
【００３８】
第２画像読取ユニット２０は、光源２１、第１〜第４ミラー２２Ａ，２２Ｂ，２２Ｃ，２２Ｄ、レンズ２３及びＣＣＤ（イメージセンサ）２４を備えた縮小光学系の画像読取手段であり、原稿の裏面側の画像を読み取る。第２画像読取ユニット２０は、ユニット化されてＡＤＦ１内に収納されている。第２画像読取ユニット２０は、小型化のために密着型イメージセンサ等の等倍光学系の画像読取手段とすることもできる。
【００３９】
第２画像読取ユニット２０は、ユーザから両面読取の要求がなされた際に、原稿搬送路Ｆを搬送される原稿の裏面の画像を読み取る。すなわち、第１画像読取ユニット１０によって表面の画像が読み取られた原稿は、原稿搬送路Ｆに沿って排紙トレイ３０へ向けて搬送される間に光源２１の下方を通過する。この際に光源２１は原稿の裏面へ向けて光を照射し、原稿の裏面から反射された光は、ガラス等の透明部材で形成された読取窓３２を通過してミラー２２Ａ〜２２Ｄで順次光路変換された後、レンズ２３を介してＣＣＤ２４に結像し、電気的な画像データに変換される。
【００４０】
原稿搬送路Ｆ中で読取窓３２は、原稿を挟むように対向白板３３に対向している。対向白板３３は、白補正に用いられ、原稿搬送路Ｆの下面ガイドの一部を構成している。対向白板３３は、上面に透明板材を備えたものであってもよい。
【００４１】
記憶部２０１は、複数のサンプル画像データと、汚れの有無の判断に用いる基準値とを記憶している。サンプル画像データは、例えば、写真データ、文字データ、文字及び写真からなる混合データ、ハーフトーンの文字データ、ハーフトーンの画像データ、ハーフトーンの混合データである。また、サンプル画像データは、画像読取装置１００の最大読取解像度（例えば、６００ｄｐｉ）且つフルカラーのデータである。最大読取解像度とは、画像読取装置１００がスキャン時に生成可能な画像データの最大解像度のことである。
【００４２】
次に、第１画像読取ユニット１０の原稿移動方式によって原稿の画像を読み取る場合について、制御部２００の処理を図２〜８を参照して説明する。第１画像読取ユニット１０は、原稿搬送路Ｆにおける原稿の搬送方向に直交する方向（主走査方向）について、搬送可能な最大サイズの原稿の幅に匹敵する長さの走査範囲を有している。
【００４３】
図２に示すように、制御部２００は、原稿トレイ５に原稿が載置された状態で、一例として図５（Ａ）に示す操作画面で、原稿移動方式を用いたスキャンの実行を指示する操作を受け付けるまで待つ（Ｓ１１：ＮＯ）。制御部２００は、スキャンの実行を指示する操作を受け付けると（Ｓ１１：ＹＥＳ）、光源ユニット１５及びミラーユニット１６を図１に示すホームポジションから原稿搬送路Ｆにおける上流側に位置する白基準板４１の下方に移動させて（Ｓ１２）、白基準板４１の画像を読み取らせ、白基準画像データを生成させる（Ｓ１３）。
【００４４】
白基準板４１の画像の読み取り面は、第１画像読取ユニット１０の内部に位置するため、汚れが付着しない。白基準画像データは、一例として図４（Ａ）に示すように、第１画像読取ユニット１０を構成する光源１１、ミラー１２Ａ〜１２Ｃ及びレンズ１３の光学系、並びにＣＣＤ１４の撮像系の特性により、主走査方向で均一にはならず、両端部の階調値が中央部の階調値より低くなるように湾曲している。
【００４５】
次に、制御部２００は、光源ユニット１５及びミラーユニット１６を図１に示すホームポジションに移動させて（Ｓ１４）、対向白板４２の画像を読み取らせ、補正データを生成させる（Ｓ１５）。この時、光源１１からの光は、プラテンガラス２８を通過して対向白板４２へ照射される。
【００４６】
補正データは、プラテンガラス２８が汚れていない場合に、一例として図４（Ａ）に示すように、両端部の階調値が中央部の階調値より低くなるように湾曲する。補正データは、プラテンガラス２８が汚れている場合に、一例として図４（Ｂ）に示すように、汚れが付着している個所の階調値が局部的に落ち込む。
【００４７】
制御部２００は、白基準画像データと補正データとを比較し、各走査位置における諧調差が基準値以上になると（Ｓ１６：ＹＥＳ）、プラテンガラス２８に汚れが付着していると判断して、図３のＳ２１へ進む。また、制御部２００は、各走査位置における諧調差が全て基準値未満になると（Ｓ１６：ＮＯ）、プラテンガラス２８に汚れが付着していないと判断して、ＡＤＦ１に原稿の搬送を開始させて、原稿をスキャンする（Ｓ１７）。
【００４８】
なお、プラテンガラス２８の汚れの有無の判断は、上述に限らず、次のように判断してもよい。制御部２００は、Ｓ１３で、白基準板４１へ照射された光に対する反射光の比率を示す白基準板４１の反射濃度を走査位置毎に算出し、Ｓ１５で、対向白板４２へ照射された光に対する反射光の比率を示す対向白板４２の反射濃度を走査位置毎に算出する。制御部２００は、Ｓ１６で、白基準板４１の反射濃度と対向白板４２の反射濃度の差が基準値以上の場合にプラテンガラス２８に汚れが付着していると判断し、差が基準値未満の場合にプラテンガラス２８に汚れが付着していないと判断する。
【００４９】
また、図３に示すように、Ｓ２１では、制御部２００は、白補正の基準値として補正データを設定する。この場合、制御部２００は、補正データに対して白補正を行わない。
【００５０】
制御部２００は、補正データを参照して汚れが付着している走査位置を判断し、汚れが付着している走査位置に汚れが表示されるように、汚れに対応する画像データ（以下、汚れ画像データと称す。）をサンプル画像データに付加してプレビュー画像データを生成する（Ｓ２２）。例えば、制御部２００は、補正データを白基準画像データで除算した除算値を主走査方向の走査位置毎に算出しておく。そして、制御部２００は、主走査方向の走査位置を一致させて、各除算置をサンプル画像データに乗算する。各除算値をサンプル画像データの副走査方向へ順に乗算していくことで、プレビュー画像データを生成する。
【００５１】
制御部２００は、一例として図５（Ｂ）に示すプレビュー画像データに基づく画像を表示する（Ｓ２３）。制御部２００は、スキャンの実行を指示する操作を操作画面で受け付けると（Ｓ２４：ＹＥＳ）、原稿トレイ５上に載置された原稿のスキャンを開始する（図２のＳ１７）。
【００５２】
制御部２００は、モード切替ボタンの押下操作を操作画面で受け付けるたびに（Ｓ２４：ＮＯ→Ｓ２５：ＹＥＳ）、白補正の基準値を補正データ又は白基準画像データへ切り替えて（Ｓ２６）、Ｓ２２の処理を行う。この時、制御部２００は、白補正の基準値として補正データが設定されると、白補正をしていない補正データを用いてプレビュー画像データを生成し、白補正の基準値として白基準画像データが設定されると、白基準画像データを用いて白補正が行われた補正データを用いてプレビュー画像データを生成する。
【００５３】
制御部２００は、スキャン時の各種設定を示す詳細設定ボタンの押下操作を操作画面で受け付けるたびに（Ｓ２５：ＮＯ→Ｓ２７：ＹＥＳ）、スキャン時の各種設定に応じてサンプル画像データの解像度又は階調数を変更して（Ｓ２８）、Ｓ２２の処理を行う。例えば、制御部２００は、モノクロ設定が選択されると、サンプル画像データの諧調数を２値に変更して、変更後のサンプル画像データに汚れ画像データを付加してプレビュー画像データを生成する。また、例えば、制御部２００は、スキャン倍率が設定されると、スキャン倍率に応じてサンプル画像データの解像度を変更し、変更後のサンプル画像データに汚れ画像データを付加してプレビュー画像データを生成する。
【００５４】
制御部２００は、画像切替ボタンの押下操作を操作画面で受け付けるたびに（Ｓ２７：ＮＯ→Ｓ２９：ＹＥＳ）、複数のサンプル画像データの中から何れかのサンプル画像データに切り替えて（Ｓ３０）、Ｓ２２の処理を行う。例えば、制御部２００は、一例として、図６（Ａ）に示す文字データに汚れ画像データを付加したプレビュー画像データに基づく画像や、図６（Ｂ）に示すハーフトーン等のデータに汚れに画像データを付加したプレビュー画像データに基づく画像に切り替えて表示する。
【００５５】
制御部２００は、拡大表示ボタンの押下操作を操作画面で受け付けると（Ｓ２９：ＮＯ→Ｓ３１：ＹＥＳ）、Ｓ２２の処理を行う。この時、制御部２００は、汚れが付着している部分を拡大したプレビュー画像データを生成し、プレビュー画像データに基づく画像（図７参照。）を表示する。
【００５６】
以上より、画像読取装置１００は、実際に原稿をスキャンせずに、プラテンガラス２８の汚れが付着している箇所を確認させることができる。
【００５７】
画像読取装置１００は、様々な種類のサンプル画像データの中から、実際にスキャンする原稿に近いサンプル画像データを用いてプレビュー画像データを生成することで、汚れの影響範囲を実際のスキャンに似せることができる。
【００５８】
画像読取装置１００は、スキャン時の各種設定に応じて画像読取装置１００の最大読取解像度且つフルカラーのサンプル画像データの解像度及び諧調数を変更することで、スキャン時の各種設定に応じたプレビュー画像データを生成することができる。画像読取装置１００は、スキャン時の各種設定に応じたサンプル画像データを予め記憶部２０１に記憶しておく必要がない。これにより、画像形成装置１００は、より汚れが目立たないスキャン時の各種設定を容易に確認させることができる。
【００５９】
画像読取装置１００は、白補正の基準値として白基準画像データを用いることで、白補正の基準値を補正データとした場合より、汚れが目立つようにサンプル画像データに汚れ画像データを付加することができる。
【００６０】
また、制御部２００は、原稿固定方式により読み取った画像データ、又は外部装置から入力された画像データをサンプル画像データとして、記憶部２０１に記憶している。
【００６１】
例えば、制御部２００は、図９に示すように、サンプル画像データの追加を受け付けるまで待つ（Ｓ４１：ＮＯ）。制御部２００は、サンプル画像データの追加を受け付けると（Ｓ４１：ＹＥＳ）、光源ユニット１５及びミラーユニット１６を原稿固定方式に対応したホームポジションに移動させる（Ｓ４２）。制御部２００は、光源ユニット１５及びミラーユニット１６をそれぞれ一定の速度で副走査方向に移動させながら、原稿台４に載置された原稿へ光源１１から光を照射して画像を走査し、画像読取装置１００の最大読取解像度且つフルカラーでサンプル画像データを生成させる（Ｓ４３）。制御部２００は、生成したサンプル画像データを記憶部２０１へ記憶する（Ｓ４４）。以上より、画像読取装置１００は、汚れが付着していない原稿台４に載置された原稿を読み取ることで、スキャン対象の原稿の画像データをサンプル画像データとして用いることができる。
【００６２】
なお、上述の実施例では、制御部２００は、図３のＳ２３でプレビュー画像データに基づく画像のみを表示したが、サンプル画像データに基づく画像とプレビュー画像データに基づく画像とを並べて表示してもよい。この時、制御部２００は、一例として図８に示すようにサンプル画像データのサイズに応じて、サンプル画像データに基づく画像とプレビュー画像データに基づく画像とを縦並び又は横並びに表示してもよい。これにより、画像読取装置１００は、プラテンガラス２８の汚れの位置を認識させやすくすることができる。
【００６３】
なお、上述の実施例では、スキャンの実行前に、プラテンガラスに汚れが付着しているとサンプル画像データに汚れ画像データを付加して、プレビュー表示した。しかし、特定の操作ボタンを選択したタイミングでサンプル画像データに汚れ画像データを付加してプレビュー表示してもよい。画像読取装置のメンテナンス時に有効である。
【００６４】
なお、上述の例では、第１画像読取ユニット１０の原稿移動方式によって原稿の画像を読み取る場合に、プラテンガラス２８の汚れ画像データをサンプル画像データに付加してプレビューした。しかし、第２画像読取ユニット２０が原稿の画像を読み取る場合に、読取窓３２の汚れ画像データをサンプル画像データに付加してプレビューしてもよい。この場合、第１画像読取ユニット１０が白基準板４１の画像を読み取って白基準画像データを生成する。
【００６５】
なお、上述の実施例では、スキャン実行の都度、第１画像読取ユニット１０が白基準板４１の画像を読みっとって白基準画像データを生成した。しかし、工場出荷時に第１画像読取ユニット１０が白基準板４１の画像を読み取って白基準画像データを生成し、記憶部２０１に予め記憶しておいてもよい。
【００６６】
上述の実施形態の説明は、全ての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【符号の説明】
【００６７】
１００…画像読取装置
２００…制御部
２０１…記憶部
１０…第１画像読取ユニット
２８…プラテンガラス
４１…白基準板
４２…対向白板
２０…第２画像読取ユニット
３２…読取窓
３３…対向白板
Ｆ…原稿搬送路
【図１】
2012044565.tif 000003
【図２】
2012044565.tif 000004
【図３】
2012044565.tif 000005
【図４】
2012044565.tif 000006
【図９】
2012044565.tif 000007
【図５】
2012044565.tif 000008
【図６】
2012044565.tif 000009
【図７】
2012044565.tif 000010
【図８】
2012044565.tif 000011